(57)【要約】【課題】  椅子本体が前後に揺動する形式の背低の椅子であって、支持脚の複数箇所に荷重を分散させることの可能な椅子を提供する。【解決手段】  椅子本体１０と、支持脚２０と、支持脚２０に椅子本体１０を連結する案内機構３０とを備える。案内機構３０の全体を、椅子本体１０の全高及び支持脚２０の全高よりも高くない位置に配備する。案内機構３０は、支持脚に設けたガイドレール６１と、椅子本体１０の脇板部１３に設けられてガイドドレール６１上を転動する２つのローラ５１，５２と、支持脚２０の頂部と脇板部１３とを連結する横軸４０とを有する。【選択図】        図１
2005230359.tif 000002
【特許請求の範囲】
【請求項１】
人が腰掛ける椅子本体と、床面などに載置される支持脚と、この支持脚に上記椅子本体を連結しかつ椅子本体を支持脚に対して一定経路に沿って可動させるための案内機構とを備え、椅子本体に加わる荷重が上記案内機構を介して上記支持脚によって受け止められるようになっている椅子において、
上記案内機構の全体が、椅子本体の全高及び支持脚の全高よりも高くない位置に配備されていて、その案内機構が、支持脚と椅子本体とのうちの一方側部材に設けられたガイドレールと、他方側部材に設けられて上記ガイドレール上を相対的に転動する少なくとも２つのローラとを備えていて、上記椅子本体に加わる荷重が上記案内機構のガイドレールとローラとの接触箇所を介し上記支持脚によって受け止められるようになっていることを特徴とする椅子。
【請求項２】
上記支持脚が山形に形成されていて、上記案内機構が、その支持脚の頂部と上記椅子本体の脇板部とを回動自在に連結する横軸と、その支持脚に設けられて上記横軸の設置箇所を中心とする円弧状に形成された上記ガイドレールと、上記脇板部に設けられた２つの上記ローラと、を備え、上記椅子本体に加わる荷重が、上記横軸と２つの上記ローラとを介して３点で上記支持脚によって受け止められるようになっている請求項１に記載した椅子。
【請求項３】
上記椅子本体に腰掛けた人が上記ガイドレールと２つのローラとに触れることを阻止するカバーが、上記案内機構のガイドレールと２つのローラとを外側から覆う状態で上記支持脚に取り付けられている請求項２に記載した椅子。
【請求項４】
椅子本体の脇板部の上部に設けられた肘当て部が、上記支持脚の頂部を覆うように拡幅されていて、その肘当て部と支持脚との間の隙間での指詰め事故を防止するための指詰め防止手段を備えている請求項２又は請求項３に記載した椅子。
【請求項５】
上記指詰め防止手段が、肘当て部と支持脚との間の隙間が指詰め事故を起こす程度に狭まらないように上記横軸の設置箇所を中心とする椅子本体の円弧経路に沿う揺動範囲を規制する揺動範囲規制機構でなる請求項４に記載した椅子。
【請求項６】
上記揺動範囲規制機構が、椅子本体の脇板部に設けられた突起と、支持脚に設けられてその突起を係止する当り部とでなる請求項５に記載した椅子。
【請求項７】
椅子本体を支持脚に動かないように固定する固定機構を備え、その固定機構が、支持脚と椅子本体の脇板部とに具備された孔部に抜き差し可能なピン部材でなる請求項２〜６のいずれか１項に記載した椅子。
【発明の詳細な説明】
【技術分野】
【０００１】
本発明は、椅子、特に、支持脚に支えられている椅子本体に人が腰掛けるようになっていて、その椅子本体を、たとえば円弧経路に沿って前後に揺らすことができるようになっている椅子に関する。
【背景技術】
【０００２】
従来、図１０に示した箱形ブランコが知られていた（特許文献１参照）。この箱形ブランコは、門形の支柱１によって支持された２本の水平軸２，２から箱形のブランコ本体３を揺動アーム５，５によって吊り下げたものである。この箱形ブランコは、揺動アーム５，５によって吊り下げられた状態で図中破線で示したように左右に揺動する。
【０００３】
【特許文献１】特開２００２−３３１１７３号公報
【発明の開示】
【発明が解決しようとする課題】
【０００４】
しかしながら、図１０の従来例は、支柱１の頂部の水平軸２，２に上端を連結した揺動アーム５，５の下端にブランコ本体３を連結してあるので、ブランコ本体３の位置よりも支柱１の頂部の高さが高くなり、全体として背高になることを避けられない。そのため、その設置場所が公園などの屋外に主に限定されてしまい、天井高さの低い一般住宅や集合住宅の居住区やベランダなどに設置するには不向きであった。
【０００５】
一方、天井高さの低い一般住宅や集合住宅の居住区やベランダなどに一人掛け又は二人掛け用の背低のベンチ型の椅子を設置し、その椅子を前後に揺らしてくつろぎたいといった要求がある。そこで、そのような椅子を図１０の従来例を応用して製作しようとすると、支柱の高さを居住区やベランダの空間に納まる寸法にしなければならない。そして、そのように支柱を背低にした場合に、人が腰掛ける椅子本体（ブランコ本体に相当する）を支柱の頂部から吊り下げるための揺動アームを長くして椅子本体の前後の揺れ幅を十分に大きくしようとすると、椅子本体の位置が低くなりすぎる。これに対し、椅子本体の高さを適度の高さに定めると、揺動アームが短くなりすぎて椅子本体をゆっくりと揺らすことができなくなったりする。
【０００６】
本発明は以上の状況などに鑑みてなされたものであり、従来例に比べて全体高さが格段に低く抑えられ、しかも椅子本体の高さを使用しやすい適切な高さに定めても、椅子本体の前後の揺れ幅を使用者が満足できる程度に十分に確保することが可能な椅子を提供することを目的とする。
【０００７】
また、本発明は、椅子本体に加わる荷重が分散して支持脚に伝わるような対策を講じることによって、支持脚の１箇所（１点）だけに荷重が集中してその箇所が破損しやすくなるという事態を抑制することのできる椅子を提供することを目的とする。
【０００８】
さらに、本発明は、指詰め事故などの危険がなく、安全に使用することのできる椅子を提供することを目的とする。
【０００９】
さらに、本発明は、一人掛け又は二人掛け用の背低のベンチ型の椅子を提供することを目的とする。
【課題を解決するための手段】
【００１０】
本発明に係る椅子は、人が腰掛ける椅子本体と、床面などに載置される支持脚と、この支持脚に上記椅子本体を連結しかつ椅子本体を支持脚に対して一定経路に沿って可動させるための案内機構とを備え、椅子本体に加わる荷重が上記案内機構を介して上記支持脚によって受け止められるようになっている。
【００１１】
そして、上記案内機構の全体が、椅子本体の全高及び支持脚の全高よりも高くない位置に配備されていて、その案内機構が、支持脚と椅子本体とのうちの一方側部材に設けられたガイドレールと、他方側部材に設けられて上記ガイドレール上を相対的に転動する少なくとも２つのローラとを備えていて、上記椅子本体に加わる荷重が上記案内機構のガイドレールとローラとの接触箇所を介し上記支持脚によって受け止められるようになっている。
【００１２】
この構成であると、案内機構が椅子本体や支持脚の上方へ突き出さないので、椅子の全高が椅子本体又は支持脚の高さと同程度に定まる。この案内案内機構が、図１０で説明した従来例では水平軸２，２にブランコ本体３を吊り下げている揺動アーム５，５に相当しており、この揺動アーム５，５は、本発明における椅子本体に相当するブランコ本体３の上方に突出しているのでそれだけ箱形ブランコの全体高さが高くなっている。これに対し、本発明では、上記のように案内機構が椅子本体や支持脚の上方へ突き出していないので、椅子の全体高さが椅子本体の高さ又は支持脚の高さと同程度に定まって背低になる。したがって、本発明に係る椅子は、公園などの屋外に設置することができることは勿論、天井高さの低い一般住宅や集合住宅の居住区やベランダなどにも無理なく設置することが可能である。
【００１３】
また、本発明では、案内機構の少なくとも２つのローラがガイドレール上を相対的に転動するようになっていて、椅子本体に加わる荷重がそれらのローラとガイドレールとの少なくとも２箇所の接触箇所を介し支持脚によって受け止められるようになるので、支持脚にはそれらの２箇所（２点）に荷重が分散して加わる。そのため、支持脚の１箇所（１点）だけに荷重が集中してその箇所が破損しやすくなるという事態が起こりにくい。
【００１４】
なお、本発明においては、ガイドレールを支持脚に設け、ローラを椅子本体に設けるという構成を採用することも、ガイドレールを椅子本体に設け、ローラを支持脚に設けるという構成を採用することも可能である。
【００１５】
本発明では、上記支持脚が山形に形成されていて、上記案内機構が、その支持脚の頂部と上記椅子本体の脇板部とを回動自在に連結する横軸と、その支持脚に設けられて上記横軸の設置箇所を中心とする円弧状に形成された上記ガイドレールと、上記脇板部に設けられた２つの上記ローラと、を備え、上記椅子本体に加わる荷重が、上記横軸と２つの上記ローラとを介して３点で上記支持脚によって受け止められるようになっている、という構成を採用することが可能である。
【００１６】
この構成であると、横軸とガイドレール上の２つのローラとによって、椅子本体の可動する経路が横軸を中心とする円弧状に規制され、椅子本体がそのような円弧経路を円滑に揺動するようになる。特に、椅子本体に加わる荷重が、横軸の設置箇所と２つのローラの設置箇所との３箇所（３点）に分散して支持脚に伝わるために、ガイドレールと２つのローラとの接触部分に無理な荷重が加わらなくなり、そのことが、椅子本体の揺動を円滑に行わせることに役立つ。
【００１７】
本発明では、上記椅子本体に腰掛けた人が上記ガイドレールと２つのローラとに触れることを阻止するカバーが、上記案内機構のガイドレールと２つのローラとを外側から覆う状態で上記支持脚に取り付けられていることが望ましい。この構成であると、椅子本体に腰掛けた人がガイドレールや２つのローラに触って怪我をするといった危険が、カバーによって確実に回避される。
【００１８】
本発明では、椅子本体の脇板部の上部に設けられた肘当て部が、上記支持脚の頂部を覆うように拡幅されていて、その肘当て部と支持脚との間の隙間での指詰め事故を防止するための指詰め防止手段を備えていることが望ましい。これによれば、肘当て部を容易に幅広に形成することができ、そのようにすることによって使用者が肘を楽に肘当て部に載せかけることができ、長時間に亘って楽にくつろぐことができるようになる。また、肘当て部を支持脚の頂部を覆うように拡幅して楽にくつろげるようにしておいても、指詰め防止手段によって肘当て部と支持脚との間の隙間での指詰め事故が防止されるので、椅子本体に腰掛けて肘を肘当て部に載せかけた使用者が椅子本体を前後に揺動させた場合でも、肘当て部と支持脚との間の隙間に指を詰めて怪我をするといった危険がなくなる。
【００１９】
本発明では、上記指詰め防止手段が、肘当て部と支持脚との間の隙間が指詰め事故を起こす程度に狭まらないように上記横軸の設置箇所を中心とする椅子本体の円弧経路に沿う揺動範囲を規制する揺動範囲規制機構でなるという構成を採用することが可能である。この構成であれば、椅子本体に腰掛けて肘を肘当て部に載せかけた使用者が椅子本体を前後に揺動させているときに手の指を肘当て部と支持脚との間の隙間に入れたとしても、その指が肘当て部と支持脚とにより挾まれるという余地がなくなくなって指詰め事故が未然に確実に防止される。
【００２０】
本発明では、上記揺動範囲規制機構が、椅子本体の脇板部に設けられた突起と、支持脚に設けられてその突起を係止する当り部とでなるという構成を採用することが可能である。ここで、突起には、案内機構のロールを用いることができるほか、椅子本体の脇板部に取り付けた突起状のピン体を用いることも可能である。
【００２１】
本発明では、椅子本体を支持脚に動かないように固定する固定機構を備え、その固定機構が、支持脚と椅子本体の脇板部とに具備された孔部に抜き差し可能なピン部材でなる、という構成を採用することが可能である。この構成であれば、椅子本体を動かないように固定して使用することができるだけでなく、椅子本体を揺動可能とするか動かないように固定しておくかの選択を、ピン部材の抜き差しだけで容易にかつ簡単に行うことができるようになる。
【発明の効果】
【００２２】
本発明に係る椅子は、天井高さの低い一般住宅や集合住宅の居住区やベランダといった場所に無理なく設置することができるようになるだけでなく、使用者にとっても、椅子本体の高さが適切でその前後の揺れ幅も満足できる程度に十分に確保することが可能になる。また、椅子本体に加わる荷重が分散して支持脚に伝わるような対策が講じられているので、荷重の１点集中に起因する破損などが起こりにくくなってその耐久性が向上する。さらに、使用時などに指詰め事故などの危険がなく安全に使用することができるという効果が奏される。また、本発明に係る椅子は、椅子本体の横幅を適切に定めるだけで、一人掛け又は二人掛け用の背低のベンチ型の椅子とすることも容易に可能である。
【発明を実施するための最良の形態】
【００２３】
図１は本発明の実施形態に係る椅子の概略斜視図、図２はその椅子を横から見て示した動作説明図である。また、図３はカバー７０を取り付けた椅子の概略側面図、図４はカバー７０と固定機構８０とを備えた椅子の概略側面図である。さらに、図５は椅子の要部の正面図である。
【００２４】
図１の椅子は、ベンチ型の二人掛け用背低椅子として構成されていて、多数の横長板を並べて配備することにより座部１１と背もたれ部１２とが形成されてなる椅子本体１０と、山形に形成された左右の支持脚２０と、左右の支持脚２０のそれぞれに椅子本体１０を連結している案内機構３０とを備えている。
【００２５】
図１又は図２のように、案内機構３０は、左右の支持脚２０のそれぞれの頂部と椅子本体１０の左右の側部のそれぞれに具備されている脇板部１３の上部とを同心位置で回動自在に連結している左右の横軸４０と、これらの横軸４０の配備位置よりも下方で左右の脇板部１３のそれぞれの前後２箇所に取り付けられた２つのローラ５１，５２と、左右の支持脚２０に設けられて、その上端縁が２つの上記ローラ５１，５２を転動させるガイドレール６１として形成されている連結杆部６０とを備えている。横軸４０は、たとえば支持脚２０の頂部と脇板部１３の上部とを貫通するボルトにナットをねじ込むことによって形成される。ローラ５１には溝付きローラが採用されていて、そのローラ５１が、上記横軸４０の設置箇所を中心とする円弧状に形作られた上記ガイドレール６１に嵌合した状態でそのガイドレール６１上を転動する。また、同一の脇板部１３に設けられている２つのローラ５１，５２は、横軸４０を介して支持脚２０に吊り下げられた椅子本体１０の重心線を挟む前後対称位置に設置されてガイドレール６１上を転動するようになっている。そして、椅子本体１０に加わる荷重が、横軸４０と２つのローラ５１，５２とを介し、支持脚２０の１箇所の横軸設置箇所とガイドレール６１とローラ５１，５２の２箇所の接触箇所との３点で支えられるようになっている。このように構成されていることにより、椅子本体１０に加わる荷重が上記３点に分散されるようになり、横軸４０の設置箇所やガイドレールと２つのローラとの接触箇所に無理な荷重が加わらなくなって椅子本体１０の円弧経路での前後揺動が円滑に行われるだけでなく、支持脚２０の１箇所（１点）だけに荷重が集中してその箇所が破損しやすくなるという事態も起こりにくくなる。
【００２６】
一方、上記案内機構３０は、横軸４０と２つのローラ５１，５２とガイドレール６１とによって構成されていて、それらはすべて椅子本体１０の全高及び支持脚２０の全高よりも高くない位置に配備されている。言い換えると、案内機構３０の全体が、椅子本体１０の全高及び支持脚２０の全高よりも高くない位置に配備されている。そのため、案内機構３０が椅子本体１０や支持脚２０の上方へ突き出しておらず、椅子の全高が椅子本体１０の高さと同程度に納まっている。このため、椅子が背低であり、公園などの屋外に設置することができることは勿論、天井高さの低い一般住宅や集合住宅の居住区やベランダなどにも無理なく設置することが可能である。
【００２７】
椅子本体１０は、その脇板部１３の上部に肘当て部１４を備えている。この実施形態では、図５で判るように肘当て部１４が支持脚２０の頂部を覆うように側方へ拡幅された板状体によって形成されている。このように肘当て部１４を幅広に形成しておくと、椅子本体１０に腰掛けた使用者が肘を楽に肘当て部１４に載せかけることができ、しかも、長時間に亘って肘を肘あて部１４に載せかけたままにしても肘が痛くなったりしにくくなるので楽に長時間に亘ってくつろぐことができる。
【００２８】
この実施形態では、山形の支持脚２０が略アーチ形の杆材によって形成されていて、その支持脚２０におけるガイドレール６１の前後両端に臨む箇所が上記ローラ５１，５２を係止して椅子本体１０の揺動範囲を規制する当り部２１，２２として形成されている。そして、椅子本体１０の前端が図２の一点鎖線イで示したように前方へ揺動して前側のローラ５１が前側の当り部２１に係止されたり、その逆に、椅子本体１０の前端が図２の二点鎖線ロで示したように後方へ揺動して後側のローラ５２が後側の当り部２２に係止されたりしたときでも、上記した肘当て部１４と支持脚２０との間に形成されている隙間Ｓがそれほど狭くならないようにローラ５１，５２の設置箇所を選定してある。すなわち、上記のように肘当て部１４が支持脚２０の頂部を覆うように外側へ拡幅されていると、椅子本体１０が前後に揺動したときには、肘当て部１４と支持脚２０との間の隙間Ｓの広さが変化して広くなったり狭くなったりするので、場合によっては、椅子本体１０に腰掛けて肘当て部１４に肘を載せかけている使用者の手の指がその隙間Ｓに挟まって指詰め事故を起こす危険があるけれども、上記したように前後のローラ５１，５２を前後の当り部２１，２２に係止させることにより椅子本体１０の前後の揺動範囲を規制して上記隙間Ｓがそれほど狭くならないようにしておくと、その隙間Ｓに手の指が入っても指詰め事故を起こすおそれがない。したがって、この実施形態の椅子では、上記ローラ５１，５２と当り部２１，２２とが、肘当て部１４と支持脚２０との間の隙間Ｓでの指詰め事故を防止するための指詰め防止手段５０を構成している。また、この指詰め防止手段５０は、椅子本体１０が使用者の予想以上に大きく揺動して使用者を驚かせるという事態を防ぐことにも役立っている。なお、指詰め防止手段５０としては、上記ローラ５１，５２を当り部２１，２２に係止させる構成とする代わりに、脇板部１３に突起（不図示）を具備させ、その突起を当り部２１，２２に係止させる構成とすることも可能である。
【００２９】
なお、この実施形態では、２つのローラ５１，５２の設置箇所を脇板部１３のできるだけ下端に近い箇所に位置させることによって、それらのローラ５１，５２と上記横軸４０の間隔を可及的長くし、そうすることによって椅子本体１０に加わる荷重を十分に離れた３点で支持脚２０によって受け止めさせ、なおかつ、椅子本体１０の前後の揺動が無理なく行われるようにしてある。
【００３０】
肘当て部１４と支持脚２０との間の隙間Ｓでの指詰め事故を防ぐためには、上記した構成の指詰め防止手段を設ける代わりに、図３又は図４のように、椅子本体１０に腰掛けた人がガイドレール６１と２つのローラ５１，５２とに触れることを阻止するカバー７０を支持脚２０に取り付けておくことも可能である。図例のカバー７０は、アーチ形の支持脚２０の内側に嵌め込まれてビス７１で連結杆部６０に固定されていて、ガイドレール６１と２つのローラ５１，５２とを外側から覆っている。
【００３１】
この椅子では、図４に示したように、椅子本体１０を支持脚２０に動かないように固定する固定機構８０を具備させることも可能である。図例の固定機構８０は、支持脚２０と椅子本体１０の脇板部１３との１箇所又は複数箇所にそれぞれ具備された孔部を一致させてそれらの孔部に抜き差しされるピン部材８１でなり、このピン部材８１を孔部に差し込むことによって椅子本体１０が支持脚２０に動かないように固定され、ピン部材８１を孔部から抜き去ることによって椅子本体１０が前後に揺動可能となる。なお、ピン部材８１にはボルト・ナットを用いることが可能である。
【００３２】
図１〜図５を参照して説明した実施形態は、いずれも、椅子本体１０に加わる荷重が横軸４０と２つのローラ５１，５２とを介して支持脚２０の３点に分散されるように構成してあるけれれども、横軸４０を省略することによって、椅子本体１０に加わる荷重を２つのローラ５１，５２を介して支持脚２０の２点に分散させるようにも構成することが可能である。この構成の実施形態を図６〜図８を参照して説明する。
【００３３】
図６は他の実施形態の側面図、図７はさらに他の実施形態の側面図、図８はさらに他の実施形態の側面図である。
【００３４】
図６の実施形態では、椅子本体１０の座部１１にブラケット５３，５４を介して前後のローラ５１，５２を取り付け、それらのローラ５１，５２を支持脚２０の連結杆部６０の上端縁によって形成されている円弧状のガイドレール６１に載せて前後に転動可能としてある。また、図７の実施形態では、図６の椅子において、支持脚２０に円弧状のローラ押え杆６２を追加することによって、ガイドレール６１からのローラ５１，５２の浮き上がりを防いである。図８の実施形態では、図７の椅子において、ガイドレール６１とローラ押え杆６２の形状を変更し、それらに直線部とその前後の湾曲した傾斜部とを具備させたものである。これによれば、椅子本体１０を前後に水平に移動させたり、前方移動後に前上がりに傾けたり、後方移動後に後上がりに傾けたりすることが可能である。
【００３５】
以上説明した実施形態では、支持脚２０がアーチ形に形成されているけれども、支持脚の形状はアーチ形に限定されず、円弧状の山形であっても、その他の形状であってもよい。また、椅子本体１０の形状も図例に限定されない。
【００３６】
図９はベンチ型の一人掛け用背低椅子として構成した椅子の概略斜視図である。同図の椅子は、図１で説明した二人掛け用背低椅子の椅子本体１０の横幅を半分程度に狭めたものに相当している。その他の事項は図１などで説明したところと同様であるので、説明の重複を避けるために、同一又は相応する部分に同一符号を付してある。
【００３７】
さらに、この実施形態では、２つのローラ５１，５２を使用しているけれども、ローラの数を３つ又はそれより多い数にすることが可能であり、また、ガイドレール６１を椅子本体側に設け、その相手方であるローラを支持脚側に設けることも可能である。
【図面の簡単な説明】
【００３８】
【図１】本発明の実施形態に係るベンチ型の一人掛け用背低椅子として構成した椅子の概略斜視図である。
【図２】図１の椅子を横から見て示した動作説明図である。
【図３】カバーを取り付けた椅子の概略側面図である。
【図４】カバーと固定機構とを備えた椅子の概略側面図である。
【図５】図１の椅子の要部の正面図である。
【図６】他の実施形態の側面図である。
【図７】さらに他の実施形態の側面図である。
【図８】さらに他の実施形態の側面図である。
【図９】ベンチ型の一人掛け用背低椅子として構成した椅子の概略斜視図である。
【図１０】従来例の正面図である。
【符号の説明】
【００３９】
１０  椅子本体
１３  脇板部
１４  肘当て部
２０  支持脚
２１，２２  当り部
３０  案内機構
４０  横軸
５０  揺動範囲規制機構
５１，５２  ローラ
６１  ガイドレール
７０  カバー
８０  固定機構
８１  ピン部材
Ｓ  肘当て部と支持脚との間の隙間
【図１】
2005230359.tif 000003
【図２】
2005230359.tif 000004
【図３】
2005230359.tif 000005
【図４】
2005230359.tif 000006
【図５】
2005230359.tif 000007
【図６】
2005230359.tif 000008
【図７】
2005230359.tif 000009
【図８】
2005230359.tif 000010
【図９】
2005230359.tif 000011
【図１０】
2005230359.tif 000012